(57)【要約】【目的】湾曲した搬送経路を有するスクリューコンベア及び湾曲した形状の島に設置することが可能な吸殻自動回収装置を提供すること。【構成】ケーシング内に配設されたスクリューの端部に回転駆動を与えることにより粉粒体や吸殻等を搬送するスクリューコンベアにおいて、螺旋羽根を有するスクリューユニットを複数連結すると共に、回転軸としてワイヤーを設けた。又、吸殻を落下させるための孔部を有し各遊戯台に対応してそれぞれ配設された複数の灰皿と、これらの灰皿の吸殻落下通路の下方に配設されたスクリューコンベアと、該スクリューコンベアにより搬送された吸殻を回収する回収容器とにより成る吸殻自動回収装置において、スクリューコンベアとして上述のスクリューコンベアを用いた。【選択図】        図１
2007230754.tif 000002
【特許請求の範囲】
【請求項１】
ケーシング内に配設されたスクリューの端部に回転駆動を与えることにより粉粒体や吸殻等を搬送するスクリューコンベアであって、螺旋羽根を有するスクリューユニットを複数連結すると共に、回転軸としてワイヤーを設けたことを特徴とするスクリューコンベア。
【請求項２】
スクリューの回転駆動を与える側と反対側の端部に、ケーシング内を摺動する盤体を設けた請求項１記載のスクリューコンベア。
【請求項３】
吸殻を落下させるための孔部を有し各遊戯台に対応してそれぞれ配設された複数の灰皿と、これらの灰皿の吸殻落下通路の下方に配設されたスクリューコンベアと、該スクリューコンベアにより搬送された吸殻を回収する回収容器とにより成る吸殻自動回収装置において、スクリューコンベアとして請求項１又は請求項２に記載のスクリューコンベアを使用した吸殻の自動回収装置。
【発明の詳細な説明】
【技術分野】
【０００１】
本発明は湾曲した搬送経路を形成することが可能なスクリューコンベア及び当該スクリューコンベアを用いたパチンコ店等に設置される吸殻自動回収装置に関する。
【背景技術】
【０００２】
１、  スクリューコンベア
粉粒体等を搬送するために利用されるスクリューコンベアは、その搬送経路は直線状であることが一般的であり、湾曲形状の搬送経路を有するものは見当たらない。
【０００３】
２、  吸殻自動回収装置
パチンコ店においては従業員の労力軽減等のため、スクリューコンベアを用いた吸殻自動回収装置を設置することがある。
【０００４】
係る吸殻自動回収装置の構造を図１０乃至図１２を参照しながら述べる。ここに図１０はスクリューコンベアを用いた吸殻自動回収装置を設けた遊技機群の斜視図であり、図１１及び図１２はテーブルとスクリューコンベアの関係を示す説明図である。
【０００５】
パチンコ機やスロットマシーン機といった遊技機を複数連設して構成される遊技機群１前方のテーブル２に、貫通孔たる吸殻落下通路３を設ける。この落下通路３には灰皿４が嵌め込んである。この灰皿４には底部に吸殻を通すことが可能な径を有する孔部４ａが設けてある。
【０００６】
又テーブル２の下部にはケーシング５内に収容されたスクリューコンベア６が配設されてあり、孔部４ａから落下した吸殻を搬送し、回収箱に回収していくものである。
【０００７】
又、パチンコ台等の遊技機が湾曲状に配置された島に対応するため、湾曲した搬送経路を有する吸殻自動回収装置が提案されている(例えば登録実用新案第３０９３２４０号公報記載の考案や、登録実用新案第３１１５６５５号公報記載の考案等)。この吸殻自動回収装置においてはユニバーサルジョイントを用いることで屈曲した搬送経路を形成するスクリューコンベアが用いられている。
【特許文献１】登録実用新案第３０９３２４０号公報
【特許文献２】登録実用新案第３１１５６５５号公報
【発明の開示】
【発明が解決しようとする課題】
【０００８】
本発明は湾曲した搬送経路を有する従来存しなかったスクリューコンベアを提供することを目的とする。
【０００９】
又、今般パチンコ店等の娯楽施設において、集客効果を高めるため遊技機群で構成される島を直線状ではなく、湾曲した形状に構成することがある。本発明は係る湾曲した形状の島に設置することが可能な吸殻自動回収装置を提供することを目的とする。
【課題を解決するための手段】
【００１０】
上記課題を解決するために請求項１記載のスクリューコンベアは以下のように構成した。
【００１１】
ケーシング内に配設されたスクリューの端部に回転駆動を与えることにより粉粒体や吸殻等を搬送するスクリューコンベアにおいて、螺旋羽根を有するスクリューユニットを複数連結すると共に、回転軸としてワイヤーを設けた。
【００１２】
又請求項２記載のスクリューコンベアにおいてはスクリューの回転駆動を与える側と反対側の端部に、ケーシング内を摺動する盤体を設けた。
【００１３】
更に請求項３記載の吸殻自動回収装置は以下のように構成した。
【００１４】
吸殻を落下させるための孔部を有し各遊技台に対応してそれぞれ配設された複数の灰皿と、これらの灰皿の吸殻落下通路の下方に配設されたスクリューコンベアと、該スクリューコンベアにより搬送された吸殻を回収する回収容器とにより成る吸殻自動回収装置において、スクリューコンベアとして請求項１又は請求項２に記載のスクリューコンベアを用いる。
【発明の効果】
【００１５】
以下、かように構成される本発明が如何に作用して課題を解決するかを図面を参照しながら述べる。
【００１６】
請求項１記載のスクリューコンベアにおいては、回転することで粉粒体等を搬送するスクリュー部が、図１に示すようにスクリューユニット１１及びワイヤー２０によって構成される。具体的には図２に示すようにスクリューユニット１１同士を連結し、スクリューユニット１１内の空洞部１1ｄ内にワイヤー２０を挿入してスクリュー部１０を形成するものである。かように可撓性を有するワイヤー２０を回転軸として用いることにより、湾曲した形状のスクリュー部１０を形成することが可能となるのである。
【００１７】
この際湾曲した部位においては図２に示すようにスクリューユニット１１同士の連結部Ａに若干の間隙ができるものである。これに対し直線部位においては間隙は生じないものである。
【００１８】
そして係る湾曲形状に合わせてケーシング４０を設け、スクリュー部１０の端部に回転駆動力を与える駆動部を設ければ、湾曲した搬送経路を有するスクリューコンベアを提供することが可能となるのである。このケーシング４０は直線状のケーシングを湾曲角度に応じて切断する角度と長さを決めて接続していくものである。
【００１９】
又請求項２記載のスクリューコンベアにおいては図４に示すように、スクリューの回転駆動を与える側と反対側の端部にケーシング内を摺動する盤体３０を設けた。
【００２０】
この盤体３０はスクリューの回転駆動を与える側と反対側の端部における軸受けを不要とすると共に、スクリュー部１０の端部がうねることを抑止する役目を果たすものである。つまり盤体３０がケーシング４０内を摺動することからケーシング４０によって盤体３０がうねることが抑止され、その結果としてスクリュー部１０の端部がうねることが抑止されるのである。
【００２１】
これによりスクリュー部１０の端部がうねることでケーシング４０とスクリュー部１０との間に間隙ができ、これにより搬送に支障が生じることを可及的に防止することが可能となるのである。
【００２２】
以上のように構成される請求項１又は請求項２記載のスクリューコンベアを用いれば、図９に示すような湾曲した形状で構成される遊技機群たる島８０に対しても、吸殻自動回収装置を設置することが可能となるのである。
【発明を実施するための最良の形態】
【００２３】
以下、好ましい発明の一実施形態につき述べる。
【００２４】
請求項１記載のスクリューコンベアを構成するスクリューユニット１１は、筒状体１１aの外周に螺旋羽根１１bを設けて成るものである。筒状体１１aには長手方向に切欠部１１cが設けてある。隣接するスクリューユニット１１に設けられた切欠部１１c同士は係合可能な形態に設けてある。又、隣接するスクリューユニット１１に設けられた螺旋羽根１１bの端面同士も、切欠部１１c同士を係合した状態において合わさる形態に設けてある。
【００２５】
尚、図１においては螺旋羽根１１ｂは筒状体11ａの外周の半周にわたり設けられているが、むろん係る限定を受けるものではなく、筒状体１１aの外周の1周、1.5周、２周等にわたり設けても構わない。又、切欠部11ｃも図1に示される形態に限定を受けるものではない。要は隣接するスクリューユニット10同士が係合し、且つ、一方の回転駆動力が他方に伝達可能な形態であれば任意にもので構わないことはむろんである。そして筒状体１１aの空洞部１１dにはワイヤー２０が挿入されるものである。スクリュー部１０を構成するスクリューユニット１１の一個ないし複数個とワイヤ２０とは、図４や図５に示されるようにネジ等の緊締部材２１により固着されるものである。
【００２６】
かように構成される複数のスクリューユニット１１によって成るスクリュー部１０は、図３に示すように該スクリュー部１０の湾曲形状に合わせた湾曲形状に接続形成したケーシング４０内に収納されるものである。スクリュー部１０の一方端部には回転駆動力を与えるための駆動モータ５０が、他方端部には盤体３０が取り付けられている。
【００２７】
図４は盤体３０を取り付けた側の端部付近を示す一部破断説明図である。盤体３０はワイヤー２０に対して取付金具３１により固着されている。又ケーシング４０には搬送されてきた粉粒体や吸殻等をケーシング４０外に落下させるための開口部たる排出口４１が設けてある。
【００２８】
図５は駆動モータ５０を取り付けた側の端部付近を示す一部破断説明図である。モータ５０を構成する回転可能な駆動軸５１と、スクリュー部１０を構成するワイヤー２０とは連結部材６０を介して連結され、モータ５０により回転駆動力がスクリュー部１０に伝達されるよう構成されている。
【００２９】
図７は連結部材６０の概略断面図である。連結部材と駆動軸５１を固着するためのネジ等の緊締部材６１を貫通させるための孔部６２が複数設けられている。
【００３０】
又ワイヤー２０と連結部材６０の連結部位にはアンダーカット加工を施した孔部６３が設けてある。つまり筒状体たる連結部材６０の内壁面を凹状に加工した孔部を設けたものである。これにより図８に示すように緊締部材６１を孔部６２に差し込んだ際にワイヤー２０が引き伸ばされ、孔部６３の凹部６３aに嵌入することでワイヤー２０に対する固着力がより強固なものとなり、駆動力の効率的な伝達が可能となるのである。
【００３１】
又ケーシング４０には粉粒体等を投入するための開口部たる投入口４２が設けてある。
【００３２】
尚、排出口４１、投入口４２を設ける位置は適宜変更できるものであり、モータ５０側に排出口４１を設け、盤体３０側に投入口４２を設けても構わない。
【００３３】
又、請求項１又は請求項２記載のスクリューコンベアを請求項３における吸殻自動回収装置に使用する場合には、後述するように上部が開放されたケーシングを使用するため投入口を設ける必要はない。
【００３４】
同じく請求項３における吸殻自動回収装置として使用する場合は図６に示すようにケーシング５のモータ５０側端面を開放形状となし、かかる開放面から回収容器８１内に吸殻等を落下回収させていくことが好ましい。むろん係る限定を受けるわけではなく、ケーシング５の下部に排出口を設け、当該排出口から回収容器内に吸殻等を落下回収させるようにしても構わない。
【００３５】
次に請求孔３記載に係る吸殻自動回収装置の一実施例につき述べるが、従来技術と同様の部分に付いては従来技術の図面、符号を用いて解説する場合もあるものとする。
【００３６】
本発明に係る吸殻自動回収装置は、図９に示されるようなパチンコ機等の遊技機群たる島８０の前方に設けられたテーブル２の下部に配設されるものである。テーブル２には各遊技機に対応して灰皿４が複数設けられている。又テーブル２の下部にはスクリューコンベアを収納するためのケーシング５が取り付けられている。又ケーシング５の端部付近には吸殻を回収するための回収容器８１が設置してあり、ケーシング５の開放端面から当該回収容器８１内に吸殻等が落下回収されるものである。
【００３７】
テーブル２には図１１に示すように貫通孔たる吸殻落下通路３が設けられており、灰皿４が嵌め込まれている。該灰皿４の底部には吸殻を通すことが可能な大きさの孔部4ａが設けられている。吸殻は孔部４aからケーシング５内に落下していくものである。
【００３８】
ケーシング５は図１２に示すようにスクリュー羽根の外周より若干大きめの断面が円弧形状をなす部分を有する上部が開放された筒状体であり、取り付けフランジ５ａによりテーブル２の下面に固定されるものである。
【００３９】
ケーシング５は図９に示すように島８０の湾曲形状に合わせて湾曲した形状に設けてある。湾曲形状にする手段は請求項１又は請求項２記載のスクリューコンベアに用いられるケーシングと同様の方法によるものである。ケーシング５内には請求項１又は請求項２記載に係るスクリューコンベアを構成するスクリュー部１０が収納されるものである。
【００４０】
又、駆動源たるモータやワイヤーとモータとを連結するための連結部材その他ワイヤー、駆動軸と連結部材との連結方法等は上述の請求項１又は２記載のスクリューコンベアと同様なものである。
【図面の簡単な説明】
【００４１】
【図１】スクリュー部の構成図。
【図２】湾曲態様を示す説明図。
【図３】スクリューコンベアの模式構成図。
【図４】盤体を取り付けた側の端部付近を示す一部破断説明図。
【図５】駆動モータを取り付けた側の端部付近を示す一部破断説明図。
【図６】吸殻自動回収装置の端部付近を示す一部破断説明図。
【図７】連結部材の概略断面図。
【図８】連結部の一部断面説明図。
【図９】本発明の実施状態説明図。
【図１０】吸殻自動回収装置を設置した島の斜視図。
【図１１】テーブルとスクリューコンベアの関係を示す説明図。
【図１２】テーブルとスクリューコンベアの関係を示す説明図。
【符号の説明】
【００４２】
11・・スクリューユニット      20・・ワイヤー
30・・盤体      40・・ケーシング      
【図１】
2007230754.tif 000003
【図２】
2007230754.tif 000004
【図３】
2007230754.tif 000005
【図４】
2007230754.tif 000006
【図５】
2007230754.tif 000007
【図６】
2007230754.tif 000008
【図７】
2007230754.tif 000009
【図８】
2007230754.tif 000010
【図９】
2007230754.tif 000011
【図１０】
2007230754.tif 000012
【図１１】
2007230754.tif 000013
【図１２】
2007230754.tif 000014
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
吸殻を落下させるための孔部を有し各遊技台に対応してそれぞれ配設された複数の灰皿と、これらの灰皿の吸殻落下通路の下方に配設されたスクリューコンベアと、該スクリューコンベアにより搬送された吸殻を回収する回収容器とにより成る吸殻自動回収装置において、
螺旋羽根を有するスクリューユニットを複数連結すると共に回転軸としてワイヤーを設けることでスクリューを構成し、該スクリューの回転駆動を与える側と反対側の端部にケーシング内を摺動する盤体を設け、スクリュー収納するケーシングとして上部が開放された筐体を使用したスクリューコンベアを用いたことを特徴とする吸殻自動回収装置。
【請求項２】
回転軸たるワイヤーとモータの駆動軸との間に連結部材を介在させると共に、該連結部材にアンダーカット加工を施した孔部を設け、該孔部に緊締部材を差し込むことでワイヤーと連結部材を固定した請求項１記載の吸殻自動回収装置。
【手続補正書】
【提出日】平成18年10月19日(2006.10.19)
【手続補正１】
【補正対象書類名】明細書
【補正対象項目名】全文
【補正方法】変更
【補正の内容】
【発明の詳細な説明】
【技術分野】
【０００１】
本発明はパチンコ店頭に設置される吸殻自動回収装置に関し、より詳しくは湾曲した搬送経路を形成することが可能なスクリューコンベアを用いた吸殻自動回収装置に関する。
【背景技術】
【０００２】
パチンコ店においては従業員の労力軽減等のため、スクリューコンベアを用いた吸殻自
動回収装置を設置することがある。
【０００３】
係る吸殻自動回収装置の構造を図１０乃至図１２を参照しながら述べる。ここに図１０
はスクリューコンベアを用いた吸殻自動回収装置を設けた遊技機群の斜視図であり、図１
１及び図１２はテーブルとスクリューコンベアの関係を示す説明図である。
【０００４】
パチンコ機やスロットマシーン機といった遊技機を複数連設して構成される遊技機群１
前方のテーブル２に、貫通孔たる吸殻落下通路３を設ける。この落下通路３には灰皿４が
嵌め込んである。この灰皿４には底部に吸殻を通すことが可能な径を有する孔部４ａが設
けてある。
【０００５】
又テーブル２の下部にはケーシング５内に収容されたスクリューコンベア６が配設されてあり、孔部４ａから落下した吸殻を搬送し、回収箱に回収していくものである。
【０００６】
又、パチンコ台等の遊技機が湾曲状に配置された島に対応するため、湾曲した搬送経路を有する吸殻自動回収装置が提案されている（例えば登録実用新案第３０９３２４０号公報記載の考案や、登録実用新案第３１１５６５５号公報記哉の考案等）。この吸殻自動回収装置においてはユニバーサルジョイントを用いることで屈曲した搬送経路を形成するスクリューコンベアが用いられている。
【特許文献１】登録実用新案第３０９３２４０号公報
【特許文献２】登録実用新案第３１１５６５５号公報
【発明の開示】
【発明が解決しようとする課題】
【０００７】
今般パチンコ店等の娯楽施設において、集客効果を高めるため遊技機群で構成される島を直線状ではなく、湾曲した形状に構成することがある。本発明は係る湾曲した形状の島に設置することが可能な吸殻自動回収装置を提供すること、更には駆動力の効率的な伝達が可能な吸殻自動回収装置を提供することを目的とする。
【課題を解決するための手段】
【０００８】
上記課題を解決するために請求項１記載の吸殻自動回収装置は以下のように構成した。
【０００９】
吸殻を落下させるための孔部を有し各遊技台に対応してそれぞれ配設された複数の灰皿と、これらの灰皿の吸殻落下通路の下方に配設されたスクリューコンベアと、該スクリューコンベアにより搬送された吸殻を回収する回収容器とにより成る吸殻自動回収装置において、螺旋羽根を有するスクリューユニットを複数連結すると共に回転軸としてワイヤーを設けることでスクリューを構成し、該スクリューの回転駆動を与える側と反対側の端部にケーシング内を摺動する盤体を設け、スクリューを収納するケーシングとして上部が開放された筐体を使用した。
【００１０】
又請求項２記載の吸殻自動回収装置は請求項１記載の発明において回転軸たるワイヤーとモータの駆動軸との間に連結部材を介在させると共に、該連結部材にアンダーカット加工を施した孔部を設け、該孔部に緊締部材を差し込むことでワイヤーと連結部材を固定した。
【発明の効果】
【００１１】
以下、かように構成される本発明が如何に作用して課題を解決するかを図面を参照しながら述べる。
【００１２】
請求項１記載の吸殻自動回収装置を構成するスクリューコンベアにおいては、回転することで吸殻等を搬送するスクリュー部が、図１に示すようにスクリューユニット１１及びワイヤー２０によって構成される。具体的には図２に示すようにスクリューユニット１１同士を連結し、スクリューユニット１１内の空洞部１１ｄ内にワイヤー２０を挿入してスクリュー部１０を形成するものである。かように可撓性を有するワイヤー２０を回転軸として用いることにより、湾曲した形状のスクリュー部１０を形成することが可能となるのである。
【００１３】
この際湾曲した部位においては図２に示すようにスクリューユニット１１同士の連結部Ａに若千の間隙ができるものである。これに対し直線部位においては間隙は生じないものである。
【００１４】
そして係る湾曲形状に合わせてケーシング４０を設け、スクリュー部１０の端部に回転駆動力を与える駆動部を設ければ、湾曲した搬送経路を有するスクリューコンベアを提供することが可能となるのである。このケーシング４０は直線状のケーシングを湾曲角度に応じて切断する角度と長さを決めて接続していくものである。ここにケーシング４０は上部が開放された筒状体である。
【００１５】
又請求項１記載のスクリューコンベアにおいては図４に示すように、スクリューの回転駆動を与える側と反対側の端部にケーシング内を摺動する盤体３０を設けた。
【００１６】
この盤体３０はスクリューの回転駆動を与える側と反対側の端部における軸受けを不要とすると共に、スクリュー部１０の端部がうねることを抑止する役目を果たすものである。つまり盤体３０がケーシング４０内を摺動することからケーシング４０によって盤体３０がうねることが抑止され、その結果としてスクリュー部１０の端部がうねることが抑止されるのである。
【００１７】
これによりスクリュー部１０の端部がうねることでケーシング４０とスクリュー部１０との間に間隙ができ、これにより搬送に支障が生じることを可及的に防止することが可能となるのである。又うねりが抑止されることから結果的に軸受けが不要となるのである。
【発明を実施するための最良の形態】
【００１８】
以下、好ましい発明の一実施形態につき述べる。尚、従来技術と同様の部分に付いては従来技術の図面、符号を用いて解説する場合もあるものとする。
【００１９】
本発明に係る吸殻自動回収装置は、図９に示されるようなパチンコ機等の遊技機群たる島８０の前方に設けられたテーブル２の下部に配設されるものである。テーブル２には各遊技機に対応して灰皿４が複数設けられている。又テーブル２の下部にはスクリューコンベアを収納するためのケーシング５が取り付けられている。又ケーシング５の端部付近には吸殻を回収するための回収容器８１が設置してあり、ケーシング５の開放端面から当該回収容器８１内に吸殻等が落下回収されるものである。
【００２０】
テーブル２には図１１に示すように貫通孔たる吸殻落下通路３が設けられており、灰皿４が嵌め込まれている。該灰皿４の底部には吸殻を通すことが可能な大きさの孔部４ａが設けられている。吸殻は孔部４ａからケーシング５内に落下していくものである。
【００２１】
ケーシング５は図１２に示すようにスクリュー羽根の外周より若干大きめの断面が円弧形状をなす部分を有する上部が開放された筒状体であり、取り付けフランジ５ａによりテーブル２の下面に固定されるものである。
【００２２】
ケーシング５は図９に示すように島８０の湾曲形状に合わせて湾曲した形状に設けてある。ケーシング５内には後述するスクリュー部１０が収納されるものである。
【００２３】
請求項１記載の吸殻自動回収装置を構成するスクリューコンベアの要素であるスクリューユニット１１は、筒状体１１ａの外周に螺旋羽根１１ｂを設けて成るものである。筒状体１１ａには長手方向に切欠部１１ｃが設けてある。隣接するスクリューユニット１１に設けられた切欠部１１ｃ同士は係合可能な形態に設けてある。又、隣接するスクリューユニット１１に設けられた螺旋羽根１１ｂの端面同士も、切欠部１１ｃ同士を係合した状態において合わさる形態に設けてある。
【００２４】
尚、図１においては螺旋羽根１１ｂは筒状体１１ａの外周の半周にわたり設けられているが、むろん係る限定を受けるものではなく、筒状体１１ａの外周の１周、１．５周、２周等にわたり設けても構わない。又、切欠部１１ｃも図１に示される形態に限定を受けるものではない。要は隣接するスクリューユニット１０同士が係合し、且つ、一方の回転駆動力が他方に伝達可能な形態であれば任意にもので構わないことはむろんである。そして筒状体１１ａの空桐部１１ｄにはワイヤー２０が挿入されるものである。スクリュー部１０を構成する
スクリューユニット１１の一個ないし複数個とワイヤー２０とは、図４や図５に示されるようにネジ等の緊締部材２１により固着されるものである。
【００２５】
かように構成される複数のスクリューユニット１１によって成るスクリュー部１０は、図３に示すように該スクリュー部１０の湾曲形状に合わせた湾曲形状に接続形成したケーシング４０内に収納されるものである。スクリュー部１０の一方端部には回転駆動力を与えるための駆動モータ５０が、他方端部には盤体３０が取り付けられている。
【００２６】
図４は盤体３０を取り付けた側の端部付近を示す一部破断説明図である。盤体３０はワイヤー２０に対して取付金具３１により固着されている。又ケーシング４０には搬送されてきた吸殻等をケーシング４０外に落下させるための開口部たる排出口４１が設けてある。
【００２７】
図５は駆動モータ５０を取り付けた側の端部付近を示す一部破断説明図である。モータ５０を構成する回転可能な駆動軸５１と、スクリュー部１０を構成するワイヤー２０とは連結部材６０を介して連結され、モータ５０により回転駆動力がスクリュー部１０に伝達されるよう構成されている。
【００２８】
図７は連結部材６０の概略断面図である。連結部材と駆動軸５１を固着するためのネジ等の緊締部材６１を貫通させるための孔部６２が複数設けられている。
【００２９】
又請求項２記載の吸殻自動回収装置においては、ワイヤー２０と連結部材６０の連結部位にアンダーカット加工を施した孔部６３が設けてある。つまり筒状体たる連結部材６０の内壁面を凹状に加工した孔部を設けたものである。これにより図８に示すように緊締部材６１を孔部６２に差し込んだ際にワイヤー２０が引き伸ばされ、孔部６３の凹部６３ａに嵌入することでワイヤー２０に対する固着力がより強固なものとなり、駆動力の効率的な伝達が可能となるのである。
【００３０】
尚、排出口４１を設ける位置は適宜変更できるものであり、モータ５０側に排出口４１を設けても構わない。又、図６に示すようにケーシング４０のモータ５０側端面を開放形状となし、かかる開放面から回収容器８１内に吸殻等を落下回収させていくようにしてもよい。
【図面の簡単な説明】
【００３１】
【図１】スクリュー部の構成図。
【図２】湾曲態様を示す説明図。
【図３】スクリューコンベアの模式構成図。
【図４】盤体を取り付けた側の端部付近を示す一部破断説明図。
【図５】駆動モータを取り付けた側の端部付近を示す一部破断説明図。
【図６】吸殻自動回収装置の端部付近を示す一部破断説明図。
【図７】連結部材の概略断面図。
【図８】連結部の一部断面説明図。
【図９】本発明の実施状態説明図。
【図１０】吸殻自動回収装置を設置した島の斜視図。
【図１１】テーブルとスクリューコンベアの関係を示す説明図。
【図１２】テーブルとスクリューコンベアの関係を示す説明図。
【符号の説明】
【００３２】
１１・・スクリューユニット      ２０・・ワイヤー
３０・・盤体      ４０・・ケーシング
６０・・連結部材      ６３・・孔部